(57)【要約】      （修正有）【課題】本体による巻き付けの締め具合を調整することができ、また、各種異なる寸法や大きさの被縛付物上に適用されるバンド式電気刺激器を提供する。【解決手段】本体１０とバックルモジュール２０と制御モジュール３０とを備え、本体１０の内表面の一側上に電極部が設けられ、電極部に相対する外表面上に可撓部１２が設けられる。外表面上にいくつかの第１結合部品１３が設けられ、外表面の可撓部１２に相対する他側の自由端は、延伸性を有し、自由端の末端上に第２結合部品１４が設けられる。バックルモジュール２０は、外表面の可撓部１２の末端上に設けられ、制御モジュール３０は、外表面の第１結合部品１３とバックルモジュール２０との間に設けられ、これにより、本体１０が被縛付物上に巻き付けられる時、第２結合部品１４が異なる位置の第１結合部品１３上に結合するように調整する。【選択図】図２
0003219139.tif 000002
【実用新案登録請求の範囲】
【請求項１】
長形片体状の本体とバックルモジュールと制御モジュールとを備えるバンド式電気刺激器であって、
前記本体の内表面の一側上に、人体に接触して電気刺激を与えるための電極部が設けられ、前記本体の前記電極部に相対する外表面上に折曲可能な可撓部が設けられることで、前記電極部を被縛付物上にフィットさせ、前記外表面上に間隔をあけて配列される複数個の第１結合部品が並設され、前記外表面は、前記可撓部に相対する他側の自由端の末端上に、前記第１結合部品に互いに相応する第２結合部品が設けられ、
前記外表面の前記可撓部の末端上に設けられる前記バックルモジュールは、前記自由端が前記バックルモジュールを貫通した後に逆方向に折り曲げられることで、前記第２結合部品をそのうちの１つの当該第１結合部品上に結合させ、
前記外表面の前記第１結合部品と前記バックルモジュールとの間に設けられる前記制御モジュールは、前記電極部と互いに接続されることにより、電力の開閉と電気刺激の電流大きさへの制御を提供し、
このようにして、前記本体が被縛付物上に巻き付けられる時、前記第２結合部品が異なる位置の第１結合部品上に結合するように調整することだけで、前記本体による巻き付けの締め具合を調整することができ、また、各種異なる被縛付物、腕部太さ、腿部太さまたは胸囲寸法に適用されることを特徴とする、バンド式電気刺激器。
【請求項２】
前記第１結合部品と前記第２結合部品が面ファスナーである場合、前記第１結合部品をループ面として前記第２結合部品をフック面とするか、あるいは、前記第１結合部品をフック面として前記第２結合部品をループ面とすることを特徴とする、請求項１に記載のバンド式電気刺激器。
【請求項３】
前記可撓部は、間隔をあけて配列される複数個の長条体を有し、前記複数個の長条体の間に比較的に薄い厚さを持つ折曲部を有することを特徴とする、請求項１に記載のバンド式電気刺激器。
【請求項４】
前記本体は、上支持部材と、下支持部材とを上、下に組み合わせてなり、かつ前記下支持部材上に前記電極部を収容するための中空の穿孔が形成されることを特徴とする、請求項１に記載のバンド式電気刺激器。
【請求項５】
前記制御モジュールには、上蓋と、制御回路と、底蓋とが設けられ、前記上蓋は前記底蓋上に覆われ、また、前記制御回路が前記上蓋と前記底蓋内に位置することにより、電力の開閉と電気刺激の電流大きさへの制御を提供することを特徴とする、請求項１に記載のバンド式電気刺激器。
【請求項６】
前記電極部は、さらに２つの電極部材と、２本の線路と、２つの弾性体とを含み、また、前記２本の線路は、それぞれ前記２つの電極部材の上に設けられ、かつ前記２本の線路は、それぞれ前記２つの電極部材に電気接続され、前記２つの弾性体は、前記２つの電極部材と前記２本の線路との間に設けられ、このようにして、前記制御モジュールがそれぞれ前記２本の線路に電気接続される時、前記２本の線路は、それぞれ前記２つの弾性体を通り抜けて、それぞれ前記２つの電極部材と電気接続が形成されると共に、前記２つの電極部材を通じで皮膚や筋肉に電気刺激を与え、かつ前記弾性体を介して皮膚に接触させる時に弾性とフィット性を増加することを特徴とする、請求項１に記載のバンド式電気刺激器。
【請求項７】
前記制御モジュールにはＵＳＢコネクタが設けられ、また、給電用ＵＳＢプラグと互いに接続されて充電を行うことを特徴とする、請求項１に記載のバンド式電気刺激器。
【請求項８】
前記電極部の外表面上のいくつかの当該第１結合部品は、等間隔をあけて配列されることを特徴とする、請求項１に記載のバンド式電気刺激器。
【請求項９】
前記２つの電極部材には、それぞれ相応の副電極部材が設けられ、当該副電極部材は、当該電極部材の一側に設けられ、当該電極部材と当該副電極部材は、間隔をあけて設置されることになることから、使用者のより広い筋肉群分布に合わせて使用されることを特徴とする、請求項６に記載のバンド式電気刺激器。
【請求項１０】
前記２つの電極部材は、電気伝導性を有するシリコーン片体、または銅箔、銀ペースト、電気伝導体の石墨のいずれか１つからなることを特徴とする、請求項６に記載のバンド式電気刺激器。
【請求項１１】
前記自由端は、縛付時に被縛付物に対する締め具合を調整することができる延伸性を有することを特徴とする、請求項１に記載のバンド式電気刺激器。
【考案の詳細な説明】
【技術分野】
【０００１】
本考案は、バンド式電気刺激器に係り、特に、各種異なる腕部太さ、腿部太さまたは胸囲寸法に合わせて使用される電気刺激器に関するものである。
【背景技術】
【０００２】
経皮的神経電気刺激（ＴＥＮＳ，Ｔｒａｎｓｃｕｔａｎｅｏｕｓ  Ｅｌｅｃｔｒｉｃ  Ｎｅｒｖｅ  Ｓｔｉｍｕｌａｔｉｏｎ）や電気筋肉刺激装置（ＥＭＳ，Ｅｌｅｃｔｒｉｃａｌ  Ｍｕｓｃｌｅ  Ｓｔｉｍｕｌａｔｉｏｎ）は、電流刺激を利用して大脳や神経段階を飛ばして直接に筋肉に対して指令を出してそれを収縮させることによって、筋力を鍛えることができ、また、片式携帯型電気刺激器を持ち歩く際、いつでも取り出せて筋力トレーニング及び筋持久力トレーニングを行うことができ、重力トレーニング、筋持久力トレーニング及び爆発力トレーニングを行う目的を達成する装置とすることができる。
【０００３】
ただ、従来の片式電気刺激器は、使用時、異なる使用者の体型に対応して異なる調整を行うことができず、さらに前記使用者自身がそれを腕部、腿部または胸部に使用する時も、その腕部、腿部または胸囲の位置が異なることによって、その太さが異なってくるため、電極が皮膚や筋肉上の理想位置にぴったり合わなくなり、それゆえ、最適な使用効果を発揮することができない。
【０００４】
これらのことから分かるように、上記の常用物品は、依然として多くの不具合がもたらされ、実に完善な設計とは言えないもので、改良を極力試みるべきである。
【考案の概要】
【考案が解決しようとする課題】
【０００５】
これに鑑み、本案の考案者は、長年に亘って従事してきた関連製品の製造開発と設計経験に基づき、上記の目標について緻密に設計すると共に、慎重に検討した結果、遂に確かな実用性を持つ本考案が案出された。
【０００６】
本考案の目的は、各種異なる周長（Ｐｅｒｉｍｅｔｅｒ）の被縛付物上に使用されるバンド式電気刺激器を提供することである。
【課題を解決するための手段】
【０００７】
上記の目的によれば、本考案のバンド式電気刺激器は、主に、本体と、バックルモジュールと、制御モジュールとを備え、その中、前記本体は、長形片体状を呈し、前記本体の内表面の一側上に、人体に接触して電気刺激を与えるための電極部が設けられ、前記本体の前記電極部に相対する外表面上に折曲可能な可撓部が設けられることで、前記電極部を被縛付物上にフィットさせ、前記外表面上に間隔をあけて配列される複数個の第１結合部品が並設され、前記外表面の前記可撓部に相対する他側の自由端は、延伸性を有し、前記自由端の末端上に、前記第１結合部品に互いに相応する第２結合部品が設けられ、前記バックルモジュールは、前記外表面の可撓部の末端上に設けられ、前記制御モジュールは、前記外表面の前記第１結合部品と前記バックルモジュールとの間に設けられ、前記制御モジュールが前記電極部と互いに接続されることにより、電力の開閉と電気刺激の電流大きさへの制御を提供し、これにより、前記外表面（即ち、本体）の自由端を前記バックルモジュールに貫通させた後に逆方向に折り曲げると共に、前記第２結合部品をそのうちの１つの第１結合部品上に結合させれば、前記本体を被縛付物上に巻き付けることで、前記電極部を被縛付物上にフィットさせて電気刺激を与え、このようにして、前記第２結合部品が異なる位置の第１結合部品上に結合するように調整することだけで、前記本体による巻き付けの締め具合を調整することができ、また、各種異なる被縛付物上に適用される。
【０００８】
前述した構成には、前記被縛付物としては、腕部、腿部または胸部などが挙げられる。
【０００９】
前述した構成には、前記外表面上のいくつかの第１結合部品は、等間隔をあけて配列される。
【００１０】
前述した構成において、前記第１結合部品と前記第２結合部品が面ファスナーである場合、前記第１結合部品をループ面として前記第２結合部品をフック面とする。
【００１１】
前述した構成において、前記第１結合部品と前記第２結合部品が面ファスナーである場合、前記第１結合部品をフック面として前記第２結合部品をループ面とする。
【００１２】
前述した構成において、前記可撓部は、間隔をあけて配列される複数個の長条体を有し、前記複数個の長条体の間に比較的に薄い厚さを持つ折曲部を有する。
【００１３】
前述した構成において、前記可撓部のいくつかの長条体は、等間隔をあけて配列される。
【００１４】
前述した構成において、前記本体は、上支持部材と、下支持部材とを上、下に組み合わせてなる。
【００１５】
前述した構成において、前記下支持部材上に中空の穿孔が形成される。
【００１６】
前述した構成において、前記制御モジュールには、上蓋と、制御回路と、底蓋とが設けられ、前記上蓋は前記底蓋上に覆われ、また、前記制御回路が前記上蓋と前記底蓋内に位置し、前記制御回路は、電力の開閉と電気刺激の電流大きさへの制御を提供する。
【００１７】
前述した構成には、前記電極部は、２つの電極部材と、２本の線路と、２つの弾性体とを含み、かつ前記電極部が下支持部材の穿孔に収容される。
【００１８】
前述した構成には、前記２つの弾性体は、前記２つの電極部材とそれらの線路との間に設けられ、これにより、前記制御モジュールがそれぞれ前記２本の線路に電気接続される時、前記２本の線路は、それぞれ前記２つの弾性体を通り抜けて、それぞれ前記２つの電極部材と電気接続が形成されると共に、前記２つの電極部材を通じで皮膚や筋肉に電気刺激を与える。
【００１９】
前述した構成において、それらの電極部材には、それぞれ相応の副電極部材が設けられ、より広い筋肉群分布に合わせるようにする。
【００２０】
前述した構成において、前記制御モジュールにはＵＳＢコネクタが設けられ、また、給電用ＵＳＢプラグと互いに接続されて充電を行う。
【００２１】
前述した構成において、少なくとも２つ以上のバンド式電気刺激器を含み、それらのバンド式電気刺激器は、主従（Ｍａｓｔｅｒ―Ｓｌａｖｅ）関係を有し、使用者の皮膚上に被せて使用される時、同期作動することになり、つまり、そのうちの１つが主要バンド式電気刺激器である一方、その残りが従属バンド式電気刺激器である。
【００２２】
以上の構成において、それらの主要、従属バンド式電気刺激器の間は、例えば、無線周波数（Ｒａｄｉｏ  Ｆｒｅｑｕｅｎｃｙ）やブルートゥース（Ｂｌｕｅｔｏｏｔｈ）（登録商標）などのような無線通信により接続される。
【００２３】
以上の構成において、いわゆる同期作動とは、同じ作動周波数、パルス時間と波形を有することを意味し、かつ各前記バンド式電気刺激器は、必要に応じて異なる作動強度に調整することができる。
【００２４】
本考案の目的、形状、構造、装置の特徴及びその作用効果について、さらなる認識と理解を図るため、実施例を挙げて図面を参照しながら以下に詳述する。
【図面の簡単な説明】
【００２５】
【図１】本考案のバンド式電気刺激器の内表面を示す図である。
【図２】本考案のバンド式電気刺激器の外表面を示す図である。
【図３】本考案のバンド式電気刺激器の側面図である。
【図４】本考案のバンド式電気刺激器の分解斜視図である。
【図５】本考案のバンド式電気刺激器の使用を示す図である。
【図６】本考案のバンド式電気刺激器の使用を示す図である。
【図７】本考案のバンド式電気刺激器と、給電プラグとの接続を示す図である。
【図８】本考案のバンド式電気刺激器の別の実施例を示す図である。
【考案を実施するための形態】
【実施例１】
【００２６】
本考案は、「バンド式電気刺激器」に関し、図１及び図２を参照して示すと、それは、主に、本体１０と、バックルモジュール２０と、制御モジュール３０とを備える。
【００２７】
その中、前記本体１０は、長形片体状を呈し、前記本体１０の内表面の一側上に、人体の皮膚に接触して電気刺激を与えるための電極部１１が設けられ、前記本体１０の前記電極部１１に相対する外表面上に可撓部１２が設けられ、前記可撓部１２が折曲可能であることによって、前記電極部１１を被縛付物４０上（腕部、腿部または胸部であり、例えば、本実施例では腕部を例にして図６を参照）にフィットさせ、前記外表面上に間隔をあけて配列される複数個の第１結合部品１３が並設され、前記外表面の前記可撓部１２に相対する他側の自由端は、延伸性を有し、縛付時に被縛付物４０に対する締め具合を調整することができ、なお、前記自由端の末端上に、前記第１結合部品１３に互いに相応する第２結合部品１４が設けられる。
【００２８】
その中、前記バックルモジュール２０は、前記外表面の可撓部１２の末端上に設けられる。
【００２９】
その中、前記制御モジュール３０は、前記外表面の前記第１結合部品１３と前記バックルモジュール２０との間に設けられ、前記制御モジュール３０内に制御回路３０２が設けられ、前記制御回路３０２が前記電極部１１と互いに接続されることにより、電力の開閉と電気刺激の電流大きさへの制御を提供する。
【００３０】
再び図５及び図６を参照して示すと、上記構成部材の組み立てによれば、使用時、前記外表面（即ち、本体１０）の自由端を前記バックルモジュール２０に貫通させた後に逆方向に折り曲げると共に、前記第２結合部品１４をそのうちの１つの第１結合部品１３上に結合させれば、前記本体１０を被縛付物４０上に巻き付けることで、前記電極部１１を被縛付物４０上にフィットさせて電気刺激を与える。
【００３１】
このようにして、前記第２結合部品１４が異なる位置の第１結合部品１３上に結合するように調整することだけで、前記本体１０による巻き付けの締め具合を調整することができ、また、各種異なる寸法や大きさの被縛付物４０上に適用されて、かつ同じ被縛付物４０でも位置が変わることに伴って、その周長も変化するため（被縛付物４０上の位置が異なることによって、その太さが異なってくる）、前記可撓部１２の折曲可能な特性を利用して、異なる湾曲度を生じさせ、被縛付物４０に使用装着される時、折曲特性に応じて被縛付物４０の任意の位置により好適にフィットさせることができ、その実際使用上の効能を増大させる。
【００３２】
続いて、図１及び図２を参照して示すと、前記第１結合部品１３と前記第２結合部品１４が面ファスナーである場合、前記第１結合部品１３をループ面として前記第２結合部品１４をフック面とするか、あるいは、前記第１結合部品１３をフック面として前記第２結合部品１４をループ面とすることができるが、本考案は、これに限定されるものではない。
【００３３】
再び図２及び図３を参照して示すと、前記可撓部１２は、間隔をあけて配列される複数個の長条体１２１を有し、前記複数個の長条体１２１の間に比較的に薄い厚さを持つ折曲部１２２を有することにより、前記折曲部１２２の可撓折曲性で前記可撓部１２を被縛付物４０上にフィットさせることができる。
【００３４】
再び図４を参照して示すと、前記本体１０は、上支持部材１０１と、下支持部材１０２とを上下に組み合わせてなり、本実施例ではシリコーンから構成され、かつ前記下支持部材１０２上に中空の穿孔１０３が形成される。
【００３５】
再び図４を参照して示すと、前記制御モジュール３０には、上蓋３０１と、制御回路３０２と、底蓋３０３とが設けられ、前記上蓋３０１は前記底蓋３０３上に覆われ、また、前記制御回路３０２が前記上蓋３０１と前記底蓋３０３内に位置する。
【００３６】
それから、図４を参照して示すと、前記電極部１１は、２つの電極部材１１２と、２本の線路１１３と、２つの弾性体１１４とを含み、かつ前記電極部１１が下支持部材１０２上に形成される中空の穿孔１０３に収容され、その中、本実施例では、前記２つの電極部材１１２は、電気伝導性を有するシリコーン片体、または銅箔、銀ペースト、電気伝導体の石墨のいずれか１つからなり、その中、前記２本の線路１１３は、それぞれ前記２つの電極部材１１２の上方に設けられる（図示方向参照）。かつ、前記２本の線路１１３は、それぞれ前記２つの電極部材１１２に電気接続され、本実施例では銅線からなるものが採用される。その中、前記２つの弾性体１１４は、前記２つの電極部材１１２とそれらの線路１１３との間に設けられ、本実施例では発泡ゴムからなるものが採用され、電極部１１を前記弾性体１１４を介して皮膚に接触させる時に弾性とフィット性を増加する。このようにして、前記制御モジュール３０がそれぞれ前記２本の線路１１３に電気接続される時、前記２本の線路１１３は、それぞれ前記２つの弾性体１１４を通り抜けて、それぞれ前記２つの電極部材１１２と電気接続が形成されると共に、前記２つの電極部材１１２を通じで皮膚や筋肉に電気刺激を与える。
【００３７】
再び図７を参照して示すと、前記制御モジュール３０から前記バンド式電気刺激器による電気刺激を提供し、制御モジュール３０にはＵＳＢコネクタ３１が並設され、また、給電用ＵＳＢプラグ３２と互いに接続されて充電を行う。
【実施例２】
【００３８】
再び本考案の別の実施例を示す図８を参照して示すと、そのうちのそれらの電極部材１１２には、それぞれ相応の副電極部材１１２ａが設けられ、当該副電極部材１１２ａは、当該電極部材１１２の一側に設けられ、当該電極部材１１２と当該副電極部材１１２ａは、間隔をあけて設置されることになると共に、電気接続が形成されることから、使用者のより広い筋肉群分布に合わせて使用される。
【００３９】
前述した構成において、少なくとも２つ以上のバンド式電気刺激器を含み、それらのバンド式電気刺激器は、主従関係を有し、使用者の皮膚上に被せて使用される時、同期作動することになり、つまり、そのうちの１つが主要バンド式電気刺激器である一方、その残りが従属バンド式電気刺激器である。
【００４０】
以上の構成において、それらの主要、従属バンド式電気刺激器の間は、例えば、無線周波数（Ｒａｄｉｏ  Ｆｒｅｑｕｅｎｃｙ）やブルートゥース（Ｂｌｕｅｔｏｏｔｈ）（登録商標）などのような無線通信により接続される。
【００４１】
以上の構成において、いわゆる同期作動とは、同じ作動周波数、パルス時間と波形を有することを意味し、かつ各バンド式電気刺激器は、必要に応じて異なる作動強度に調整することができる。
【００４２】
ただ、以上に開示された実施例は、単に本考案を説明するためのものにすぎず、本考案を制限するものではないため、同等効果を有する構成要素の置き換えは、本考案の範疇に属するものと解釈されるべきである。
【００４３】
以上のように、本考案は前述した目的を確実に達成でき、当前記技術を熟知する者に明確に理解され、実用新案登録の出願要件を満たしているため、法に基づき出願する次第である。
【符号の説明】
【００４４】
１０：本体
１０１：上支持部材
１０２：下支持部材
１０３：穿孔
１１：電極部
１１２：電極部材
１１２ａ：副電極部材
１１３：線路
１１４：弾性体
１２：可撓部
１２１：長条体
１２２：折曲部
１３：第１結合部品
１４：第２結合部品
２０：バックルモジュール
３０：制御モジュール
３０１：上蓋
３０２：制御回路
３０３：底蓋
３１：ＵＳＢコネクタ
３２：ＵＳＢプラグ
４０：被縛付物
【図１】
0003219139.tif 000003
【図２】
0003219139.tif 000004
【図３】
0003219139.tif 000005
【図４】
0003219139.tif 000006
【図５】
0003219139.tif 000007
【図６】
0003219139.tif 000008
【図７】
0003219139.tif 000009
【図８】
0003219139.tif 000010